(57)【要約】【課題】  万華鏡として使用できるカメラ撮影用部材で、カメラレンズの大きさが異なる場合でも対応することができて、経済的であり、また、レンズが突出した形状を有するカメラに装着できるカメラ撮影用部材を提供する。【解決手段】  カメラ撮影用部材Ａは、本体部１０と、取付け部５０とを有し、本体部１０は、筒状部２０と、筒状部２０の内側に設けられ、鏡面が形成された鏡部３０等を有している。取付け部５０は、方形状の板状を呈し、鏡部３０の端部の開口に合わせて開口部が形成されている。このカメラ撮影用部材Ａは、取付け部５０を介してレンズ取付け部材６０に取り付け、レンズ取り付け部材６０は、一眼レフタイプのカメラのレンズに取り付けて使用する。このレンズ取付け部材６０は、その一部を交換することにより、大きさの異なるカメラレンズにも適用可能となり、１つのカメラ撮影用部材によりカメラレンズの大きさが異なる場合でも対応できる。【選択図】        図５
2005352346.tif 000002
【特許請求の範囲】
【請求項１】
カメラ撮影に用いる部材であるカメラ撮影用部材であって、
筒状を呈する鏡部で、内側の面の少なくとも一部が鏡面となっている鏡部と、
該鏡部の端部に設けられた板状の取付け部で、開口部を有する取付け部と、
を有することを特徴とするカメラ撮影用部材。
【請求項２】
カメラ撮影に用いる部材であるカメラ撮影用部材であって、
円筒状を呈する筒状部と、
該筒状部の内側に設けられた鏡部で、鏡面を有する鏡板部の複数を配設してなる鏡部と、を有する本体部と、
該本体部の端部に設けられた板状の取付け部で、該鏡部の端部の開口部の位置に対応して形成された開口部を有する取付け部と、
を有することを特徴とするカメラ撮影用部材。
【請求項３】
上記鏡部の内側の面が正ｎ角形（ｎは３以上の整数）に形成されていることを特徴とする請求項１又は２に記載のカメラ撮影用部材。
【請求項４】
上記取付け部が、上記鏡部の両側に設けられ、取付け部に形成された開口部の形状及び／又は大きさが２つの取付け部において異なることを特徴とする請求項１又は２又は３に記載のカメラ撮影用部材。
【請求項５】
上記取付け部が、カメラレンズに着脱可能な部材であるレンズ取付け部材に着脱可能であることを特徴とする請求項１又は２又は３又は４に記載のカメラ撮影用部材。
【発明の詳細な説明】
【技術分野】
【０００１】
本発明は、カメラ撮影用部材に関するものであり、特に、カメラに取り付けて使用する部材に関するものである。
【背景技術】
【０００２】
従来より、カメラ撮影に用いる部材で、万華鏡として機能させるための部材が存在する。例えば、特許文献１に示すように、カメラレンズに取り付けるタイプのものや、特許文献２に示すように、レンズ付きフィルムやデジタルカメラ等に取り付けるタイプのものが存在する。
【特許文献１】実開昭６３−１７３２３５号公報
【特許文献２】特開平１１−５２４５４号公報
【発明の開示】
【発明が解決しようとする課題】
【０００３】
しかし、上記特許文献１に記載の図案作製用撮影装置においては、カメラレンズの先端にネジ式によって取り付けるものであるので、レンズの大きさが異なる場合には、レンズの大きさに応じて異なる大きさのネジ部を有する図案作製用撮影装置を用意しなければならず、経済的でない。
【０００４】
また、特許文献２に記載の汎用フォトフィルターにおいては、レンズ付きフィルムのタイプのカメラやデジタルカメラ等に用いるものであるが、紐状の装着部材を設けた構成であるので、箱状のカメラには適しているが、いわゆる一眼レフタイプのカメラやデジタル一眼レフタイプのカメラ等レンズが突出した形状を有するカメラ（レンズが着脱可能なもののみならず、レンズが取り外しできないものを含む）には適していない。
【０００５】
そこで、本発明は、万華鏡として使用できるカメラ撮影用部材で、カメラレンズの大きさが異なる場合でも対応することができて、経済的であり、また、レンズが突出した形状を有するカメラに装着できるカメラ撮影用部材を提供することを目的とするものである。
【課題を解決するための手段】
【０００６】
本発明は上記問題点を解決するために創作されたものであって、第１には、カメラ撮影に用いる部材であるカメラ撮影用部材であって、筒状を呈する鏡部で、内側の面の少なくとも一部が鏡面となっている鏡部と、該鏡部の端部に設けられた板状の取付け部で、開口部を有する取付け部と、を有することを特徴とする。
【０００７】
この第１の構成のカメラ撮影用部材においては、取付け部が設けられているので、この取付け部をカメラレンズに着脱可能な部材であるレンズ取付け部材に取り付ける。なお、このレンズ取付け部材は予めカメラのレンズに取り付けておく。すると、カメラのレンズの先端に該レンズ取付け部材を介してカメラ撮影用部材が取り付けられた状態となるので、該鏡部内の空間に被写体を配置して撮影を行う。取付け部には、開口部が設けられているので、被写体の撮影に支障となることがない。このようにカメラ撮影用部材を用いて撮影を行うと、万華鏡のようにして被写体を撮影することができる。また、上記のように、レンズ取付け部材を介することによりカメラレンズに装着できるので、レンズが突出した形状を有するカメラに装着でき、また、上記レンズ取付け部材の一部を交換することにより、大きさの異なるカメラレンズにも適用できるようにすることにより、１つのカメラ撮影用部材によりカメラレンズの大きさが異なる場合でも対応することができ、経済的である。
【０００８】
また、第２には、カメラ撮影に用いる部材であるカメラ撮影用部材であって、円筒状を呈する筒状部と、該筒状部の内側に設けられた鏡部で、鏡面を有する鏡板部の複数を配設してなる鏡部と、を有する本体部と、該本体部の端部に設けられた板状の取付け部で、該鏡部の端部の開口部の位置に対応して形成された開口部を有する取付け部と、を有することを特徴とする。
【０００９】
この第２の構成のカメラ撮影用部材においては、取付け部が設けられているので、この取付け部をカメラレンズに着脱可能な部材であるレンズ取付け部材に取り付ける。なお、このレンズ取付け部材は予めカメラのレンズに取り付けておく。すると、カメラのレンズの先端に該レンズ取付け部材を介してカメラ撮影用部材が取り付けられた状態となるので、該鏡部内の空間に被写体を配置して撮影を行う。取付け部には、開口部が設けられているので、被写体の撮影に支障となることがない。このようにカメラ撮影用部材を用いて撮影を行うと、万華鏡のようにして被写体を撮影することができる。また、上記のように、レンズ取付け部材を介することによりカメラレンズに装着できるので、レンズが突出した形状を有するカメラに装着でき、また、上記レンズ取付け部材の一部を交換することにより、大きさの異なるカメラレンズにも適用できるようにすることにより、１つのカメラ撮影用部材によりカメラレンズの大きさが異なる場合でも対応することができ、経済的である。
【００１０】
なお、上記第２の構成において、鏡部においては、複数の鏡板部が筒状に配設されているようにしてもよい。また、上記第１及び第２の構成において、取付け部は、正方形状の外形を有していることが好ましい。また、上記第１及び第２の構成において、鏡部の内側の面の全部が鏡面になっている場合でもよく、鏡部の内側の面の一部が鏡面になっている場合でもよい。
【００１１】
また、第３には、上記第１又は第２の構成において、上記鏡部の内側の面が正ｎ角形（ｎは３以上の整数）に形成されていることを特徴とする。
【００１２】
また、第４には、上記第１から第３までのいずれかの構成において、上記取付け部が、上記鏡部の両側に設けられ、取付け部に形成された開口部の形状及び／又は大きさが２つの取付け部において異なることを特徴とする。このように、鏡部の両側に取付け部が設けられ、各取付け部に設けられた開口部の形状が異なるので、ユーザは、所望の取付け部をレンズ取付け部材に取り付けて使用する。そして、取付け部に設けられた開口部の形状が異なるので、２つの取付け部のうちいずれをレンズ取付け部材に取り付けるかによって異なる撮影結果を得ることができる。
【００１３】
また、第５には、上記第１から第４までのいずれかの構成において、上記取付け部が、カメラレンズに着脱可能な部材であるレンズ取付け部材に着脱可能であることを特徴とする。
【００１４】
なお、上記各構成において、取付け部に形成された開口部は、切欠部としてもよい。
【発明の効果】
【００１５】
本発明に基づくカメラ撮影用部材を用いて撮影を行うと、万華鏡のようにして被写体を撮影することができる。また、レンズ取付け部材を介することによりカメラレンズに装着できるので、カメラレンズが突出した形状を有するカメラに装着でき、また、上記レンズ取付け部材の一部を交換することにより、大きさの異なるカメラレンズにも適用できるようにすることにより、１つのカメラ撮影用部材によりカメラレンズの大きさが異なる場合でも対応することができ、経済的である。
【発明を実施するための最良の形態】
【００１６】
本発明においては、万華鏡として使用できるカメラ撮影用部材で、カメラレンズの大きさが異なる場合でも対応することができて、経済的であり、また、レンズが突出した形状を有するカメラに装着できるカメラ撮影用部材を提供するという目的を以下のようにして実現した。
【実施例１】
【００１７】
本発明に基づくカメラ撮影用部材Ａは、図１〜図３に示すように構成され、本体部１０と、取付け部５０とを有している。
【００１８】
この本体部１０は、全体に筒状を呈し、内部に複数の鏡板部を有している。つまり、本体部１０は、筒状部２０と、鏡部３０と、リング状部４０とを有している。
【００１９】
筒状部２０は、円筒状を呈した部材である。この筒状部２０は、合成樹脂により形成されているが、他の素材により形成してもよい。
【００２０】
また、鏡部３０は、該筒状部２０の内側に設けられ、複数（具体的には、１０枚）の鏡板部から構成される。つまり、鏡部３０は、鏡板部３０ａと、鏡板部３０ｂと、鏡板部３０ｃと、鏡板部３０ｄと、鏡板部３０ｅと、鏡板部３０ｆと、鏡板部３０ｇと、鏡体部３０ｈと、鏡板部３０ｉと、鏡板部３０ｊを有している。鏡板部３０ａ〜３０ｊにおける各鏡板部は、帯板状を呈し、内側の面は鏡面となっている。各鏡板部の長手方向に沿った端部は、筒状部２０の内側面に接した状態となっていて、各鏡板部の形状、大きさは同じに形成され、隣接する鏡板部同士は隙間なく接した状態となっている。このようにして、隣接する鏡板部同士は同じ角度をなしていて、鏡板部３０ａと鏡板部３０ｆは平行に対向しており、また、鏡板部３０ｂと鏡板部３０ｇは平行に対向しており、また、鏡板部３０ｃと鏡板部３０ｈは平行に対向しており、また、鏡板部３０ｄと鏡板部３０ｉは平行に対向しており、また、鏡板部３０ｅと鏡板部３０ｊは平行に対向している。また、各鏡板部の鏡面（すなわち、内側面）に対する垂線で鏡板部の幅方向の中心を通る垂線は、筒状部２０の軸芯と交差するように構成されている。例えば、図３に示すように、鏡板部３０ｅの鏡面に対する垂線で鏡板部３０ｅの幅方向の中心を通る垂線Ｓ１は、筒状部２０の軸芯Ｑ１と交差するようになっている。このようにして、鏡部３０は全体に正十角形を呈し、鏡部３０の内側の面も正十角形を呈している。
【００２１】
これら鏡板部のＸ方向の端部は、その一方は、取付け部５０と接着して固定され、また、他方は、筒状部２０の端部の内側に設けられたリング状部４０に接着して固定されている。また、鏡板部の長手方向に沿った端部は、筒状部２０の内側面に接しているので、該端部と内側面とは、接着により固定されている。
【００２２】
また、リング状部４０は、リング状を呈し、筒状部２０の内側に設けられている。つまり、リング状部４０は、円形の外形と円形の内径を有するリング状を呈していて、リング状部４０の外形は、筒状部２０の内径と同様に形成されていて、このリング状部４０は、筒状部２０の内側に嵌合した状態となっている。なお、このリング状部４０は、その外周面が筒状部２０の内周面と接着されることにより、筒状部２０と固定されている。なお、このリング状部４０の内径は、取付け部５０における開口部５２の径（直径）と同じに形成されている。
【００２３】
次に、取付け部５０は、本体部１０の端部、すなわち、本体部１０におけるリング状部４０が設けられている側とは反対側の端部に取り付けられていて、正方形状の外形を有する板状を呈し、その中央には、開口部５２を有している。つまり、取付け部５０における一方の面は、本体部１０の筒状部２０端部及び鏡部３０の端部と接着されていることにより、取付け部５０は、本体部１０に固着されている。また、この取付け部５０の幅Ｔ１と幅Ｔ２とは同じに形成されていて、この幅Ｔ１、Ｔ２は、図４に示すようなレンズ取付け部材６０の支持部材６４、６６に支持可能な幅に形成されている。つまり、支持部材６４、６６における溝部において互いに対向する溝部の奧部間の距離をＲ１とし、溝部の手前部間の距離をＲ２とした場合に、該幅Ｔ１、Ｔ２は、Ｒ１以下でＲ２よりも大きな幅を有している。また、開口部５２は円形を呈し、その直径は、互いに対向する鏡板部間の距離と同じ又はやや小さく形成されている。また、開口部５２は、鏡部３０の一方の開口に対応して設けられていて、開口部５２の中心位置と、鏡部３０における中心位置とは一致するように構成されている。つまり、筒状部２０や鏡部３０の軸芯は、開口部５２の中心を通るようになっている。
【００２４】
次に、上記構成のカメラ撮影用部材Ａをカメラレンズに取り付けるためのレンズ取付け部材６０は、図４に示すように、本体部６１と、着脱部材７０とを有している。
【００２５】
この本体部６１は、全体に略リング状を呈していて、リング状を呈するリング状部６２と、リング状部６２の手前側の両側に設けられた支持部材６４、６６と、突出片部６８を有している。このリング状部６２の背面側には、着脱部材７０を掛止するための爪部が複数設けられている。また、支持部材６４、６６は、左右対称に形成され、支持部材６４、支持部材６６ともに、一対の溝部を有している。つまり、支持部材６４は、縦方向に形成された一対の溝部６４ａ、６４ｂを有していて、溝部６４ａと溝部６４ｂとは平行に形成されている。また、同様に、支持部材６６は、縦方向に形成された一対の溝部６６ａ、６６ｂを有していて、溝部６６ａと溝部６６ｂとは平行に形成されている。そして、溝部６４ａと溝部６６ａとは互いに対向して設けられ、この溝部６４ａと溝部６６ａとによって取付け部５０を支持できるようになっている。また、同様に、溝部６４ｂと溝部６６ｂとは互いに対向して設けられ、この溝部６４ｂと溝部６６ｂとによって取付け部５０を支持できるようになっている。なお、支持部材６４には、溝部６４ｂの背面側に溝部６４ｃが設けられ、また、支持部材６６には、溝部６６ｂの背面側には溝部６６ｃが設けられているが、これら溝部６４ｃ、６６ｃは、取付け部５０を装着するための溝部ではない。また、突出片部６８は、略板状を呈し、リング状部６２の手前側の下側に設けられている。この突出片部６８は、カメラ撮影用部材Ａの取付け部５０を溝部６４ｂ、６６ｂ間に装着した場合に、取付け部５０の下端を支持するように形成されている。
【００２６】
また、着脱部材７０は、全体に略リング状を呈していて、リング状を呈する本体部７２と、該本体部７２の開口部に背面側に突出した突出筒部７４とを有している。この本体部７２は、円形の外形を有する板状を呈し、その中心には円形の開口部を有している。この本体部７２は、上記本体部６１に対して着脱自在となっている。また、突出筒部７４は、本体部７２に設けられた開口部から背面側に連設されていて、筒状を呈し、その外周面には、カメラレンズと螺着するためのネジ部が設けられている。
【００２７】
以上のように、レンズ取付け部材６０は、カメラレンズに着脱可能な部材であり、カメラ撮影用部材Ａの取付け部５０を支持部材６４、６６等により支持するものであるといえる。
【００２８】
なお、上記の構成のレンズ取付け部材６０における本体部６１としては、株式会社ケンコー製の「マルチホルダー」を用いるのが好ましい。また、着脱部材７０としては、同じく株式会社ケンコー製の「アダプターリング」を用いるのが好ましい。
【００２９】
次に、上記構成のカメラ撮影用部材Ａの使用状態について説明する。まず、上記構成のレンズ取付け部材６０をカメラレンズに取り付ける。つまり、図６に示すように、レンズ取付け部材６０をカメラＫにおけるカメラレンズＫ１に取り付ける。すなわち、レンズ取付け部材６０における突出筒部７４をカメラレンズＫ１に設けられたネジ部と螺着させて、レンズ取付け部材６０をカメラレンズＫ１に取り付ける。この場合カメラレンズＫ１は、例えば、一眼レフ用のカメラレンズであるが、他のカメラレンズでもよい。
【００３０】
次に、カメラ撮影用部材Ａを上記レンズ取付け部材６０に取り付ける。すなわち、カメラ撮影用部材Ａの取付け部５０をレンズ取付け部６０の支持部材６４、６６に設けられた溝部に挿通して支持部材６４、６６に支持させる。この場合に、溝部６４ａ、６６ａを用いても、溝部６４ｂ、６６ｂを用いてもよいが、カメラ撮影用部材Ａ内になるべく光を取り込みたい場合には、溝部６４ａ、６６ａを用いるのが好ましい。つまり、本体部６１と取付け部５０間の距離が大きくなるので、溝部６４ａ、６６ａに支持させる方が溝部６４ｂ、６６ｂに支持させるよりはカメラ撮影用部材Ａ内に入り込む光は多くなる。一方、溝部６４ｂ、６６ｂに支持させる場合には、突出片部６８に取付け部５０が支持されるので、固着の度合いとしては、溝部６４ｂ、６６ｂの方が好ましいといえる。カメラ撮影用部材Ａをレンズ取付け部材６０を介してカメラＫのカメラレンズＫ１に取り付けた状態は、図６のようになり、また、カメラ撮影用部材Ａとレンズ取付け部材６０との取付け状態の詳細は図５に示すようになる。
【００３１】
そして、被写体をカメラ撮影用部材Ａ内に配置して撮影を行う。例えば、被写体を卓上に配置し、この被写体にカメラ撮影用部材Ａの本体部１０を被せて該被写体をカメラ撮影用部材Ａ内の鏡部３０で囲まれた空間内に配置させて撮影を行う。すると、被写体は、鏡部３０内に配置されているので、万華鏡のように使用することができる。なお、被写体を透明な板の上に配置した上でカメラ撮影用部材Ａの本体部１０を被せて撮影すると、より明るさを得ることができる。
【００３２】
なお、大きさが異なるカメラレンズに用いる場合には、上記着脱部材７０を複数の大きさのカメラレンズごとに用意しておくことにより、レンズ取付け部材６０における該着脱部材７０を使用するカメラレンズに適したものに交換すればよい。そして、レンズ取付け部材６０の本体部６１にカメラ撮影用部材Ａを取り付けて撮影を行う。なお、カメラレンズがカメラから取り外しできないタイプの場合には、当然、そのカメラレンズに適した着脱部材７０を有するレンズ取付け部材６０を用いればよい。
【００３３】
以上のように、本実施例のカメラ撮影用部材Ａによれば、被写体を万華鏡のように撮影することができ、また、レンズ取付け部材を介することによりカメラレンズに装着できるので、カメラレンズが突出した形状を有するカメラに装着できる。また、上記レンズ取付け部材６０の一部を交換することにより、１つのカメラ撮影用部材Ａによりカメラレンズの大きさが異なる場合でも対応することができ、経済的である。
【実施例２】
【００３４】
次に、実施例２のカメラ撮影用部材について説明する。実施例２におけるカメラ撮影用部材Ｂは、図７〜図９に示すように構成され、本体部１１０と、取付け部１４０と、取付け部１５０とを有している。
【００３５】
この本体部１１０は、全体に筒状を呈し、内部に複数の鏡板部を有している。つまり、本体部１１０は、筒状部１２０と、鏡部１３０とを有している。
【００３６】
筒状部１２０は、円筒状を呈した部材である。この筒状部１２０は、合成樹脂により形成されているが、他の素材により形成してもよい。
【００３７】
また、鏡部１３０は、該筒状部１２０の内側に設けられ、複数（具体的には、３枚）の鏡板部から構成される。つまり、鏡部１３０は、鏡板部１３０ａと、鏡板部１３０ｂと、鏡板部１３０ｃとを有している。鏡板部１３０ａ〜１３０ｃにおける各鏡板部は、帯板状を呈し、内側の面は鏡面となっている。各鏡板部の長手方向に沿った端部は、筒状部１２０の内側面に接した状態となっていて、各鏡板部の形状、大きさは同じに形成され、隣接する鏡板部同士は隙間なく接した状態となっている。このようにして、隣接する鏡板部同士は同じ角度（具体的には、６０度）をなしている。また、各鏡板部の鏡面（すなわち、内側面）に対する垂線で鏡板部の幅方向の中心を通る垂線は、筒状部１２０の軸芯と交差するように構成されている。例えば、図９に示すように、鏡板部１３０ｂの鏡面に対する垂線で鏡板部１３０ｂの幅方向の中心を通る垂線Ｓ２は、筒状部１２０の軸芯Ｑ２と交差するようになっている。このようにして、鏡部１３０は正三角形を呈している。鏡部１３０の内側の面も正三角形を呈している。
【００３８】
これら鏡板部のＸ方向の端部は、その一方は、取付け部１４０と接着して固定され、また、他方は、取付け部１５０と接着して固定されている。また、鏡板部の長手方向に沿った端部は、筒状部１２０の内側面に接しているので、該端部と内側面とは、接着により固定されている。
【００３９】
次に、取付け部１４０は、本体部１１０の端部、すなわち、本体部１１０における一方の端部に取り付けられていて、正方形状の外形を有する板状を呈し、その中央には、開口部１４２を有している。つまり、取付け部１４０における一方の面は、本体部１１０の筒状部１２０端部及び鏡部１３０の端部と接着されていることにより、取付け部１４０は、本体部１１０に固着されている。また、この取付け部１４０の幅Ｔ１と幅Ｔ２とは同じに形成されていて、この幅Ｔ１、Ｔ２は、図４に示すようなレンズ取付け部材６０の支持部材６４、６６に支持可能な幅に形成されている。つまり、支持部材６４、６６における溝部において互いに対向する溝部の奧部間の距離をＲ１とし、溝部の手前部間の距離をＲ２とした場合に、該幅Ｔ１、Ｔ２は、Ｒ１以下でＲ２よりも大きな幅を有している。また、開口部１４２は円形を呈し、その直径は、鏡部１３０の内側が形成する正三角形内に収まる大きさとなっている。つまり、開口部１４２の半径は、軸芯Ｑ２から鏡板部までの距離と同等か又は若干小さく形成されている。また、開口部１４２は、鏡部１３０の一方の開口に対応して設けられていて、開口部１４２の中心位置と、鏡部１３０における中心位置とは一致するように構成されている。つまり、筒状部１２０や鏡部１３０の軸芯は、開口部１４２の中心を通るようになっている。
【００４０】
次に、取付け部１５０は、本体部１１０の端部、すなわち、本体部１１０における他方の端部に取り付けられていて、上記取付け部１４０と比較すると、開口部の構成が異なる。つまり、取付け部１５０は、正方形状の外形を有する板状を呈し、その中央には、開口部１５２を有している。つまり、取付け部１５０における一方の面は、本体部１１０の筒状部１２０端部及び鏡部１３０の端部と接着されていることにより、取付け部１５０は、本体部１１０に固着されている。また、この取付け部１５０の幅Ｔ１と幅Ｔ２とは同じに形成されていて、この幅Ｔ１、Ｔ２は、図４に示すようなレンズ取付け部材６０の支持部材６４、６６に支持可能な幅に形成されている。つまり、支持部材６４、６６における溝部において互いに対向する溝部の奧部間の距離をＲ１とし、溝部の手前部間の距離をＲ２とした場合に、該幅Ｔ１、Ｔ２は、Ｒ１以下でＲ２よりも大きな幅を有している。また、開口部１５２は正三角形を呈し、その大きさは、鏡部１３０の内側が形成する正三角形内に収まる大きさとなっている。つまり、開口部１５２の大きさは、鏡部１３０の内側が形成する正三角形と同等か又はやや小さく形成されている。なお、開口部１５２は、鏡部１３０の他方の開口に対応して設けられている。
【００４１】
なお、このカメラ撮影用部材Ｂに用いるレンズ取付け部材の構成は上記実施例１の場合と同様であるので、説明を省略する。
【００４２】
次に、上記構成のカメラ撮影用部材Ｂの使用状態について説明する。まず、上記構成のレンズ取付け部材６０をカメラレンズに取り付ける。つまり、レンズ取付け部材６０における突出筒部７４をカメラレンズに設けられたネジ部と螺着させて、レンズ取付け部材６０をカメラレンズに取り付ける。この場合カメラレンズは、例えば、一眼レフ用のカメラレンズであるが、他のカメラレンズでもよい。
【００４３】
次に、カメラ撮影用部材Ｂを上記レンズ取付け部材６０に取り付ける。すなわち、カメラ撮影用部材Ｂの取付け部１４０又は取付け部１５０をレンズ取付け部６０の支持部材６４、６６に設けられた溝部に挿通して支持部材６４、６６に支持させる。この場合に、溝部６４ａ、６６ａを用いても、溝部６４ｂ、６６ｂを用いてもよいが、カメラ撮影用部材Ｂ内になるべく光を取り込みたい場合には、溝部６４ａ、６６ａを用いるのが好ましい。つまり、本体部６１と取付け部１４０（又は取付け部１５０）間の距離が大きくなるので、溝部６４ａ、６６ａに支持させる方が溝部６４ｂ、６６ｂに支持させるよりはカメラ撮影用部材Ｂ内に入り込む光は多くなる。一方、溝部６４ｂ、６６ｂに支持させる場合には、突出片部６８に取付け部１４０（又は取付け部１５０）が支持されるので、固着の度合いとしては、溝部６４ｂ、６６ｂの方が好ましいといえる。なお、取付け部１４０と取付け部１５０とでは、開口部の形状が異なるので、ユーザは、取付け部１４０と取付け部１５０のうち所望の取付け部をレンズ取付け部材６０に取り付ける。
【００４４】
そして、被写体をカメラ撮影用部材Ｂ内に配置して撮影を行う。例えば、被写体を卓上に配置し、この被写体にカメラ撮影用部材Ｂの本体部１１０を被せて該被写体をカメラ撮影用部材Ｂ内の鏡部１３０で囲まれた空間内に配置させて撮影を行う。すると、被写体は、鏡部１３０内に配置されているので、万華鏡のように使用することができる。なお、被写体を透明な板の上に配置した上でカメラ撮影用部材Ｂの本体部１１０を被せて撮影すると、より明るさを得ることができる。
【００４５】
なお、大きさが異なるカメラレンズに用いる場合には、上記着脱部材７０を複数の大きさのカメラレンズごとに用意しておくことにより、レンズ取付け部材６０における該着脱部材７０を使用するカメラレンズに適したものに交換すればよい。そして、レンズ取付け部材６０の本体部６１にカメラ撮影用部材Ｂを取り付けて撮影を行う。
【００４６】
以上のように、本実施例のカメラ撮影用部材Ｂによれば、被写体を万華鏡のように撮影することができ、また、レンズ取付け部材を介することによりカメラレンズに装着できるので、カメラレンズが突出した形状を有するカメラに装着できる。また、上記レンズ取付け部材６０の一部を交換することにより、１つのカメラ撮影用部材Ｂによりカメラレンズの大きさが異なる場合でも対応することができ、経済的である。
【００４７】
なお、上記実施例１においては、鏡面が十面であるものとして説明したが、これには限られず、基本的に三面以上であればよい。また、実施例１においては、取付け部は本体部１０の一方にのみ設けるものとして説明したが、実施例２のように両側に取付け部を設けてその開口部の形状を異なるものとしてもよい。
【００４８】
また、上記実施例２においては、鏡面が三面であるものとして説明したが、これには限られず、基本的に三面以上であればよい。また、実施例２においては、取付け部は本体部１１０の両側に設けるものとして説明したが、実施例１のように一方にのみ設けるものとしてもよい。
【００４９】
また、上記実施例１におけるカメラ撮影用部材については、鏡部３０の内側の面が正十角形を呈し、上記実施例２におけるカメラ撮影用部材については、鏡部１３０の内側の面が正三角形を呈するとしたが、他の構成でもよく、例えば、鏡部の内側の面が正ｎ角形（ｎは３以上の整数）に形成されていればよい。また、鏡部の内側の面が正ｎ角形（ｎは３以上の整数）ではなく、単にｎ角形（ｎは３以上の整数）としてもよい。例えば、実施例２では、鏡部１３０の内側の面は正三角形をなすとしたが、正三角形以外の三角形状であってもよい。
【００５０】
また、鏡部の内側の面が正ｎ角形（ｎは３以上の整数）又はｎ角形（ｎは３以上の整数）としたが、鏡面を一部省略した形態としてもよい。例えば、実施例２においては、鏡板部１３０ａ、１３０ｂ、１３０ｃが設けられているとしたが、そのうちの１つには、鏡面が設けられない構成としてもよい。つまり、鏡部の内側の面の全てに鏡面が形成されない場合でもよい。例えば、鏡板部１３０ａと鏡板部１３０ｂの内側の面には鏡面が形成されているが、鏡板部１３０ｃの内側の面には鏡面が形成されない構成とする。つまり、鏡部の内側の面をｎ角形（ｎは３以上の整数）としつつ、そのうちの２面以上に鏡面が形成されていればよい。
【００５１】
また、上記の説明では、鏡部は軸線方向には同一に形成され、鏡部の内側の径は、軸線方向には同じに形成されているとしたが、鏡部の内側の径が異なるようにしてもよい。例えば、鏡部の内側の面の径が徐々に変化するようにする。具体的には、実施例２において、鏡部１３０を取付け部１４０、１５０の一方から他方側に行くに従い鏡部１３０の内側の径が徐々に（例えば、比例して）小さくなるように形成する。つまり、鏡部１３０の内側の面がテーパー状に形成されることになる。
【００５２】
また、上記の説明では、鏡部の内側の面がｎ角形に形成されるとしたが、これには限られず、例えば、鏡部の内側の面が円柱状に形成され、円柱状の鏡面が形成されるようにしてもよい。また、鏡部の内側の面が円錐台状に形成され、円錐台状の鏡面が形成されるようにしてもよい。また、このように鏡部の内側の面が円柱状や円錐台状に形成される場合でも、鏡面はその一部にのみ形成されるようにしてもよい。
【００５３】
また、上記実施例１における筒状部１０や、実施例２における筒状部１１０は、透明体により形成してもよい。
【図面の簡単な説明】
【００５４】
【図１】本発明の実施例１に基づくカメラ撮影用部材の構成を示す前方斜視図である。
【図２】本発明の実施例１に基づくカメラ撮影用部材の構成を示す後方斜視図である。
【図３】図１におけるＸ−Ｘ断面図である。
【図４】レンズ取付け部材の構成を示す前方斜視図である。
【図５】実施例１のカメラ撮影用部材をレンズ取付け部材に取り付けた状態を示す斜視図である。
【図６】カメラ撮影用部材をレンズ取付け部材を介してカメラに取り付けた状態を示す斜視図である。
【図７】本発明の実施例２に基づくカメラ撮影用部材の構成を示す前方斜視図である。
【図８】本発明の実施例２に基づくカメラ撮影用部材の構成を示す後方斜視図である。
【図９】図７におけるＹ−Ｙ断面図である。
【符号の説明】
【００５５】
Ａ、Ｂ  カメラ撮影用部材
１０、１１０  本体部
２０、１２０  筒状部
３０、１３０  鏡部
３０ａ、３０ｂ、３０ｃ、３０ｄ、３０ｅ、３０ｆ、３０ｇ、３０ｈ、３０ｉ、３０ｊ、１３０ａ、１３０ｂ、１３０ｃ  鏡板部
５０、１４０、１５０  取付け部
５２、１４２、１５２  開口部
【図１】
2005352346.tif 000003
【図２】
2005352346.tif 000004
【図３】
2005352346.tif 000005
【図４】
2005352346.tif 000006
【図５】
2005352346.tif 000007
【図６】
2005352346.tif 000008
【図７】
2005352346.tif 000009
【図８】
2005352346.tif 000010
【図９】
2005352346.tif 000011